(57)【要約】【課題】  植毛部を有さなくても、固定鏡筒と移動鏡筒との間を確実に遮光することができるようにしたレンズ鏡筒を提供する。【解決手段】  筒状の移動鏡筒１８が挿入される筒状の固定鏡筒１７の先端側内周面に環状溝２１が形成される。この環状溝２１内に遮光部材１９が配置される。遮光部材１９は、断面コ字形の遮光本体部２７と環状の補強リング２８とを貼着したもので、遮光本体部２７は、環状溝２１内に配置される環状盤２９と、前記環状溝２１の奥側面２３を押圧して密着する外側環状部３０と、前記移動鏡筒１８の外周面２６を押圧して密着する内側環状部３１とを一体成形して構成される。【選択図】  図１
2005292545.tif 000002
【特許請求の範囲】
【請求項１】
筒状の固定鏡筒内に筒状の移動鏡筒が移動可能に挿入され、外光が内部に侵入しないようにする遮光部材が前記固定鏡筒と移動鏡筒との間に介在しているレンズ鏡筒であって、
前記固定鏡筒の先端側の内周面に環状溝が形成され、該環状溝内に遮光本体部と補強リングとを貼着した遮光部材が配置され、該遮光本体部は、該環状溝内に配置される環状盤と、環状溝の奥側面を押圧する外側環状部と、移動鏡筒の外周面を押圧する内側環状部とを一体形成したものであることを特徴とするレンズ鏡筒。
【請求項２】
前記遮光本体部は、ポリエチレン・テレフタレート樹脂によって成形されていることを特徴とする請求項１に記載のレンズ鏡筒。
【発明の詳細な説明】
【技術分野】
【０００１】
本発明は、カメラに備えられるレンズ鏡筒に関し、詳しくは、筒状の移動鏡筒が筒状の固定鏡筒内に軸方向に移動可能に挿入され、この移動鏡筒と固定鏡筒との間に遮光部材が介在しているレンズ鏡筒に関する。
【背景技術】
【０００２】
銀塩撮影用または電子撮影用のカメラは、レンズを透過した撮像光のピントが合うことにより、銀塩フィルムまたはＣＣＤなどの撮像面に結像するようにされている。ピントは、レンズが光軸方向に移動することによって合わせることができる。
【０００３】
レンズを移動させるため、カメラには、レンズ鏡筒が備えられている。レンズ鏡筒は、撮像面に対して相対的に固定されている筒状の固定鏡筒内に、レンズを内蔵している筒状の移動鏡筒が光軸方向に移動可能に挿入され、この固定鏡筒と移動鏡筒との間に外光が内部に侵入しないようにする遮光部材または遮光装置が介在している。
【０００４】
そして、遮光性を高めた遮光装置が特許文献１に開示されている。この遮光装置を備えたレンズ鏡筒は、図３および図４に示すように、カメラボディ１内の固定ブロック２に固定鏡筒３が固定され、この固定鏡筒３の先端側にレンズ４を内蔵した移動鏡筒５が光軸方向に移動可能に挿入されている。移動鏡筒５を挿入する側の固定鏡筒３の先端部には、図４に示すように、拡径された大径の段差部６と小径の段差部７とが設けられている。
【０００５】
そして、固定鏡筒３と移動鏡筒５との間に配置される遮光装置は、鍔付き筒状の第１の遮光リング８と、Ｃ字形の第２の遮光リング９とによって構成されている。第１の遮光リング８は、鍔状の外周部１０と、この外周部１０の内周縁から固定鏡筒３の基端側に向けて立ち上がる筒状の屈曲部１１とから構成されている。外周部１０は、固定鏡筒３の大径の段差部６に嵌合する座金状の保持環１２に貼着され、固定鏡筒３と移動鏡筒５との間を遮光する。屈曲部１１は、移動鏡筒５の外周面に摺動可能に嵌合し、移動鏡筒５の前端部で反射する光を遮光する。
【０００６】
そして、第２の遮光リング９は、外周に固定鏡筒３の小径の段差部７と係合するフランジ１３が設けられ、内周に遮光用の植毛部１４が装着されている。この第２の遮光リング９は、移動鏡筒５を弾性力によって締め付け、植毛部１４が移動鏡筒５に密着することにより、第２の遮光リング９と移動鏡筒５との間に隙間が生じないようにし、移動鏡筒５と固定鏡筒３との間を遮光している。
【０００７】
なお、移動鏡筒５は、モータ（図示せず）によって駆動される送りネジ１５やギア１６が回転することによって光軸方向に前進および後退するようにされている。
【特許文献１】特開平７−２２５３３２号公報
【発明の開示】
【発明が解決しようとする課題】
【０００８】
特許文献１に開示されたレンズ鏡筒の遮光装置は、遮光性を高めるため、第１の遮光リング８と第２の遮光リング９とが組み合わされており、この組合せが前提で遮光性を維持するようになっている。そして、第２の遮光リング９には、植毛部１４が装着されており、弾性力によって移動鏡筒５を締め付けていることから、移動鏡筒５が移動するときに、移動鏡筒５と植毛部１４との間には大きな摩擦力が発生する。したがって、移動鏡筒５は、植毛部１４によってスムーズに移動することができず、移動鏡筒５を移動させるには、大きな力が必要となり、駆動するモータへの負担が大きくなる。
【０００９】
しかし、第１の遮光リング８だけでは遮光性は十分ではなく、とくに第１の遮光リング８の外周部と、固定鏡筒３との嵌合部分は、移動鏡筒５に対する屈曲部１１のような遮光性を考慮した構造になっていない。
【００１０】
そこで、本発明は、植毛部を有さなくても、固定鏡筒と移動鏡筒との間を確実に遮光することができるようにしたレンズ鏡筒を提供することを課題とする。
【課題を解決するための手段】
【００１１】
本発明に係るレンズ鏡筒は、筒状の固定鏡筒内に筒状の移動鏡筒が移動可能に挿入され、外光が内部に侵入しないようにする遮光部材が前記固定鏡筒と移動鏡筒との間に介在しているレンズ鏡筒であって、前記固定鏡筒の先端側の内周面に環状溝が形成され、該環状溝内に遮光本体部と補強リングとを貼着した遮光部材が配置され、該遮光本体部が該環状溝内に配置される環状盤と環状溝の奥側面を押圧する外側環状部と移動鏡筒の外周面を押圧する内側環状部とを一体形成したものであることを特徴としている。
【００１２】
このレンズ鏡筒によれば、遮光本体部と補強リングとが貼着されて一体化した遮光部材が固定鏡筒の先端側の内周面に形成された環状溝の部分に配置される。遮光本体部が環状盤と外側環状部と内側環状部とによって断面コ字形に形成され、外側環状部が固定鏡筒に形成された環状溝の奥側面を押圧して両者が密着し、内側環状部が移動鏡筒の外周面を押圧して両者が密着するため、移動鏡筒と固定鏡筒との隙間が遮光本体部によって完全に塞がれ、確実に遮光することができる。また、移動鏡筒が移動するときに、遮光本体部に剪断力が加えられても、環状盤に貼着された補強リングによって遮光本体部は破損しないようにされている。
【００１３】
また、前記レンズ鏡筒において、前記遮光本体部は、ポリエチレン・テレフタレート樹脂によって成形されていることが好ましい。
【００１４】
このレンズ鏡筒によれば、遮光本体部がポリエチレン・テレフタレート樹脂によって形成されることにより、移動鏡筒が環状溝内でスムーズに光軸方向に移動するとともに、長寿命化を図ることができる。すなわち、ポリエチレン・テレフタレートは、摩擦係数が小さく、優れた耐久性を有していることから、移動鏡筒の外周面を押圧して密着する遮光本体部として好適に使用することができる。
【発明の効果】
【００１５】
本発明によれば、遮光本体部と補強リングとを貼着して構成される遮光部材が固定鏡筒の先端側の内周面に形成された環状溝内に配置され、遮光本体部の外側環状部が固定鏡筒の環状溝の奥側面を押圧して両者が密着し、遮光本体部の内側環状部が移動鏡筒の外周面を押圧して両者が密着することにより、移動鏡筒と固定鏡筒との隙間が遮光本体部によって完全に塞がれ、外光を確実に遮光することができる。したがって、このレンズ鏡筒を備えたカメラは、高画質に撮影することができるようになる。
【００１６】
しかも、移動鏡筒と遮光本体部の内側環状部との間の摩擦力は植毛部の場合よりも小さくなるため、移動鏡筒をスムーズに移動させることができる。したがって、モータが移動鏡筒を移動させる場合には、モータには過負荷が生じず、長寿命化を図ることができる。
【発明を実施するための最良の形態】
【００１７】
本発明に係るレンズ鏡筒の一実施形態を図１および図２を参照しながら説明する。このレンズ鏡筒は、銀塩撮影用または電子撮影用のカメラ（図示せず）に固定される筒状の固定鏡筒１７内に、レンズ（図示せず）を内蔵した筒状の移動鏡筒１８が光軸方向に移動可能に挿入され、固定鏡筒１７と移動鏡筒１８との間に遮光部材１９が介在している。
【００１８】
固定鏡筒１７の基端部の端面に近接して、銀塩フィルムまたはＣＣＤなどの撮像面（図示せず）が配置されている。ＣＣＤが配置される場合は、固定鏡筒１７は、基端部側が角筒状とされ、先端部側が円筒状とされている。そして、固定鏡筒１７は、円筒状の先端部側の内周面に雌ネジ２０が形成されている。
【００１９】
ただし、固定鏡筒１７の先端側端縁付近には、雌ネジ２０が形成されず、環状溝２１が形成されている。環状溝２１は、基端側面２２と奥側面２３と先端側面２４とからなる断面コ字形に形成されている。
【００２０】
一方、移動鏡筒１８は、円筒状に形成され、基端部側の外周面２６に前記雌ネジ２０と噛み合う雄ネジ２５が形成され、先端側の外周面２６は滑らかに形成され、固定鏡筒１７の外周面２６との間に隙間が生じている。
【００２１】
そして、固定鏡筒１７と移動鏡筒１８との間に介在している遮光部材１９が固定鏡筒１７の環状溝２１内に配置される。遮光部材１９は、断面形状が図示上向きコ字形の遮光本体部２７と環状の補強リング２８とが両面接着テープまたは接着剤によって貼着されたものである。遮光本体部２７としては例えば、摩擦係数が小さく、耐久性に優れているポリエチレン・テレフタレート樹脂などの樹脂が使用される。ただし、遮光本体部２７は遮光性を確保するため、黒色系に着色されている。また、補強リング２８は、剛性が高く遮光性のある材料が適しているが、遮光本体部２７と同素材としてもよい
そして、遮光本体部２７は、外側面が補強リング２８に貼着される環状盤２９と、前記環状溝２１の奥側面２３を押圧する外側環状部３０と、移動鏡筒１８の外周面２６を押圧する内側環状部３１とを一体成形したものである。すなわち、環状盤２９の外周縁に外側環状部３０が固定鏡筒１７の先端側に向けて突出し、環状盤２９の内周縁に内側環状部３１が移動鏡筒１８の先端側に向けて突出している。この環状盤２９と外側環状部３０と内側環状部３１とは同じ厚さに形成されている。
【００２２】
そして、遮光本体部２７は、図２の点線で示すように、外側環状部３０の外側面と内側環状部３１の外側面との間隔が、環状溝２１の奥側面２３と移動鏡筒１８の外周面２６との間隔よりもわずかに長くなるような幅に形成されている。遮光本体部２７は、このような寸法とされることにより、環状溝２１内に配置されたときに、環状盤２９が圧縮され、外側環状部３０が環状溝２１の奥側面２３を押圧し、内側環状部３１が移動鏡筒１８の外周面２６を押圧し、それぞれが密着される。
【００２３】
そして、外側環状部３０の高さと補強リング２８の厚さとを加算した長さ（以下、「遮光部材１９の厚さ」という。）は、環状溝２１の奥側面２３の幅よりも短く、遮光部材１９が環状溝２１内でわずかに移動することができるようにされている。また、外側環状部３０と内側環状部３１とは図示したように同じ長さとしてもよいし、内側環状部３１を外側環状部３０よりも長くして、内側環状部３１が環状溝２１の奥側面２３の長さ以上に移動鏡筒１８の外周面２６を押圧するようにしてもよい。
【００２４】
いずれにしても、遮光本体部２７の外側環状部３０が環状溝２１の奥側面２３と密着し、内側環状部３１が移動鏡筒１８の外周面２６と密着することにより、外光が固定鏡筒１７と移動鏡筒１８との隙間から内部に進入することがない。
【００２５】
そして、ピントを合わせるため、移動鏡筒１８が移動すると、遮光本体部２７には剪断力が加えられる。しかし、遮光部材１９の厚さが環状溝２１の奥側面２３の幅よりも短く、遮光部材１９が環状溝２１内でわずかに移動することにより、また、遮光本体部２７には、補強リング２８が貼着されていることから、遮光本体部２７と補強リング２８とがスライドする方向の力に変換されることにより、剪断力が弱められる。
【００２６】
さらに、遮光本体部２７はポリエチレン・テレフタレート樹脂などで形成され、摩擦係数が小さいことから、移動鏡筒１８は遮光本体部２７との間で摩擦力が生じることなく、スムーズに移動する。したがって、移動鏡筒１８が移動することによって、遮光本体部２７は破損することなく、外側環状部３０が環状溝２１の奥側面２３と密着し、内側環状部３１が移動鏡筒１８の外周面２６と密着した状態を維持する。
【００２７】
なお、本発明は、特許請求の範囲に記載した技術的事項の範囲内において種々変更することができる。例えば、固定鏡筒１７と移動鏡筒１８とに雌ネジ２０と雄ネジ２５とを形成しないレンズ鏡筒であっても実施することができる。
【産業上の利用可能性】
【００２８】
本発明に係るレンズ鏡筒は、移動鏡筒と固定鏡筒との間に介在する遮光部材によって確実に遮光することができるだけでなく、移動鏡筒が固定鏡筒内でスムーズに移動するようにすることができるため、特に、モータによって移動鏡筒を移動させるようにしたカメラに有用である。
【図面の簡単な説明】
【００２９】
【図１】本発明に係るレンズ鏡筒の一実施形態を示す一部断面斜視図
【図２】同じく、端面断面図
【図３】従来のレンズ鏡筒を備えたカメラの断面図
【図４】同じく、要部断面図
【符号の説明】
【００３０】
１７  固定鏡筒
１８  移動鏡筒
１９  遮光部材
２１  環状溝
２３  奥側面
２６  外周面
２７  遮光本体部
２８  補強リング
２９  環状盤
３０  外側環状部
３１  内側環状部
【図１】
2005292545.tif 000003
【図２】
2005292545.tif 000004
【図３】
2005292545.tif 000005
【図４】
2005292545.tif 000006